(57)【要約】【課題】設定作業の効率を向上させることができるようにすること。【解決手段】実施形態に係る照明制御装置は、制御アドレスにより制御される照明器具が設置された設置位置を検出する検出部と；前記照明器具に対し、当該照明器具が設置された設置位置に対して予め対応付けられていた制御アドレスを設定する設定部と；を具備することを特徴とする。【選択図】図１
2020140890.tif 000002
【特許請求の範囲】
【請求項１】
制御アドレスにより制御される照明器具が設置された設置位置を検出する検出部と；
前記照明器具に対し、当該照明器具が設置された設置位置に対して予め対応付けられていた制御アドレスを設定する設定部と；
を具備することを特徴とする照明制御装置。
【請求項２】
前記検出部は、前記設置位置として、前記照明器具が接続されたコネクタを検出し、
前記設定部は、前記コネクタに対して予め対応付けられていた制御アドレスを設定する
ことを特徴とする請求項１に記載の照明制御装置。
【請求項３】
前記検出部は、前記設置位置として、前記照明器具が接続されたノードと、当該ノードが有するポートのうち当該照明器具が接続されているポートとを検出し、
前記設定部は、前記検出されたノードとポートとの組に対して予め対応付けられていた制御アドレスを設定する
ことを特徴とする請求項１または２に記載の照明制御装置。
【請求項４】
前記設定部は、同一の設置位置に対して複数の照明器具が直列に接続されている場合は、当該複数の照明器具に対して同一の制御アドレスを設定する
ことを特徴とする請求項１〜３のうちいずれか１つに記載の照明制御装置。
【請求項５】
前記検出部は、前記照明器具が設置された設置位置に加えて、当該照明器具の種別を検出し、
前記設定部は、前記検出部により検出された種別が、前記設置位置と対応付けられた条件を満たす場合は、前記照明器具に対して当該設置位置に対して予め対応付けられていた制御アドレスを設定する
ことを特徴とする請求項１〜４のうちいずれか１つに記載の照明制御装置。
【請求項６】
前記検出部により検出された種別が、前記設置位置と対応付けられた条件を満たさない場合は、警告を出力する出力部；
を備えることを特徴とする請求項５に記載の照明制御装置。
【請求項７】
請求項１〜６のいずれか１つに記載の照明制御装置と；
前記照明制御装置と所定のネットワークを介して接続され、前記制御アドレスにより制御される第１種別の照明器具と；
供給される電力に応じて調光を制御する第２種別の照明器具と；
前記第２種別の照明器具と接続され、前記照明制御装置からの制御に従って、当該第２種別の照明器具に対して供給する電力を制御する調光盤と；
を備え、
前記調光盤は、前記第２種別の照明器具の設置位置に対して予め対応付けらた制御アドレスを保持し、
前記照明制御装置は、前記第２種別の照明器具の設置位置と予め対応付けられた制御アドレスを用いて、前記第２種別の照明器具を制御する
ことを特徴とする照明制御システム。
【請求項８】
前記照明制御装置とは異なるネットワークを介して前記第１種別の照明器具および前記第２種別の照明器具と接続され、各照明器具に対する操作を各照明器具の設置位置ごとに受け付ける補助制御装置；
を備えることを特徴とする請求項７に記載の照明制御システム。
【発明の詳細な説明】
【技術分野】
【０００１】
本発明の実施形態は、照明制御装置、および照明制御システムに関する。  
【背景技術】
【０００２】
従来、スタジオや舞台等では、複数の照明器具により照明演出がなされている。そして、各照明器具側に設定される制御アドレスを用いて、照明制御装置が各照明器具の照度や照明する光の色彩等を遠隔制御する照明制御システムが導入されている。
【０００３】
このような照明制御システムでは、各照明器具に対して照度や照明する光の色彩ごとに制御アドレスを設定し、照明制御装置と各照明器具との通信を制御する伝送装置に照明器具を接続し、照明制御装置が有する調光用フェーダ等の操作部と各照明器具に設定した制御アドレスとの対応を設定するといった設定作業をあらかじめ手作業で行う。
【先行技術文献】
【特許文献】
【０００４】
【特許文献１】特開２０１４−１２０３５１号公報
【発明の概要】
【発明が解決しようとする課題】
【０００５】
しかしながら、上述したような照明制御システムでは、制御アドレスの設定に手間がかかるという問題がある。
【０００６】
例えば、上述した照明制御システムでは、手作業で制御アドレスの設定作業を行わなければならない上、複数の照明器具に対して同一の制御アドレスが重複して設定されていた場合や、照明器具を接続した位置の変更や修正が生じた場合に、制御アドレスの設定を再度行わなければならず、効率良い設定作業の支障となっていた。
【０００７】
また、照明制御装置は、各照明器具に設定された制御アドレスを、各照明器具に対する操作を受付ける調光フェーダに対応付けて保持する。このため、前回利用した照明器具と前回と同じ位置に設置し、各調光フェーダに対して対応付けた制御アドレスを再利用することで、前回と同様の操作を実現することができる。しかしながら、このような制御アドレスの再利用において、照明器具が誤った位置に設置されていた場合は、照明器具を前回と同様に操作することができなくなる。
【０００８】
本発明が解決しようとする課題は、設定作業の効率を向上させることができる照明制御システム、照明制御方法および照明制御プログラムを提供することである。
【課題を解決するための手段】
【０００９】
実施形態に係る照明制御装置は、制御アドレスにより制御される照明器具が設置された設置位置を検出する検出部と；前記照明器具に対し、当該照明器具が設置された設置位置に対して予め対応付けられていた制御アドレスを設定する設定部と；を具備することを特徴とする。
【発明の効果】
【００１０】
実施形態の一例に係る照明制御装置、および照明制御システムによれば、設定作業の効率を向上させることができる。
【図面の簡単な説明】
【００１１】
【図１】図１は、実施形態に係る照明制御システムのシステム構成の一例を示す図である。
【図２】図２は、実施形態に係る照明制御装置の外観の一例を示す図である。
【図３】図３は、制御アドレスの再利用における課題の一例を示す図である。
【図４】図４は、実施形態に係る照明制御装置の機能構成の一例を示すブロック図である。
【図５】図５は、実施形態に係る対応関係データの一例を示す図である。
【図６】図６は、実施形態に係る調光管理テーブルの一例を示す図である。
【図７】図７は、実施形態に係る接続機器管理テーブルの一例を示す図である。
【図８】図８は、実施形態に係る照明制御装置が表示する画面の一例を示す図である。
【図９】図９は、実施形態に係る設定処理の流れの一例を示すフローチャートである。
【発明を実施するための形態】
【００１２】
以下、図面を参照して、実施形態に係る照明制御装置、および照明制御システムを説明する。実施形態において同一の機能を有する構成には同一の符号を付し、重複する説明は省略する。なお、以下の実施形態で説明する照明制御装置、および照明制御システムは、一例を示すに過ぎず、実施形態を限定するものではない。例えば、以下の実施形態では、照明制御装置、および照明制御システムは、照明器具以外にも、任意の舞台装置の制御にも適用することができる。  
【００１３】
以下で説明する実施形態に係る照明制御装置１０は、制御アドレスにより制御される照明器具（例えば、ＬＥＤ照明器具３０−１〜３０−３、ハロゲン照明器具３１−１、３１−２）が設置された設置位置を検出し、照明器具に対し、照明器具が設置された設置位置に対して予め対応付けられていた制御アドレスを設定する。
【００１４】
また、照明制御装置１０は、設置位置として、照明器具が接続されたコネクタを検出し、コネクタに対して予め対応付けられていた制御アドレスを設定する。
【００１５】
また、照明制御装置１０は、設置位置として、照明器具が接続されたＤＭＸノード２０−１、２０−２と、ＤＭＸノード２０−１、２０−２が有するポート２２−１〜２２−３のうちＬＥＤ照明器具３０−１〜３０−３が接続されたポートを検出し、検出されたＤＭＸノードとポートとの組に対して予め対応付けられていた制御アドレスを設定する。
【００１６】
また、照明制御装置１０は、同一のコネクタに対して複数の照明器具が直列に接続されている場合は、それら複数の照明器具に対して同一の制御アドレスを設定する。
【００１７】
また、照明制御装置１０は、照明器具が設置された設置位置に加えて、照明器具の種別を検出し、検出された種別が、設置位置と対応付けられた条件を満たす場合は、照明器具に対して設置位置に対して予め対応付けられていた制御アドレスを設定する。
【００１８】
また、照明制御装置１０は、検出された種別が、設置位置と対応付けられた条件を満たさない場合は、警告を出力する。
【００１９】
また、照明制御システム１は、上述したいずれかの照明制御装置１０と、照明制御装置１０と所定のネットワークを介して接続され、制御アドレスにより制御されるＬＥＤ照明器具３０−１〜３０−３と、供給される電力に応じて調光を制御するハロゲン照明器具３１−１、３１−２と、ハロゲン照明器具３１−１、３１−２と接続され、照明制御装置１０からの制御に従って、ハロゲン照明器具３１−１、３１−２に対して供給する電力を制御する調光器盤５０とを備える。ここで、調光器盤５０は、ハロゲン照明器具３１−１、３１−２の設置位置に対して予め対応付けらた制御アドレスを保持する。また、照明制御装置１０は、ハロゲン照明器具３１−１、３１−２の設置位置と予め対応付けられた制御アドレスを用いて、ハロゲン照明器具３１−１、３１−２を制御する。
【００２０】
また、照明制御システム１は、照明制御装置１０とは異なるネットワークを介してＬＥＤ照明器具３０−１〜３０−３およびハロゲン照明器具３１−１、３１−２と接続され、各照明器具に対する操作を各照明器具の設置位置ごとに受け付ける補助制御装置（例えば、ＥＭＧ（Emergency）パネル６０）を備える。
【００２１】
［照明制御システムの構成例］
最初に、図１を用いて、実施形態に係る照明制御システム１の構成の一例を説明する。図１は、実施形態に係る照明制御システムのシステム構成の一例を示す図である。なお、以下の説明では、照明制御システム１は、テレビスタジオ等の施設に設置されているものとする。
【００２２】
例えば、図１に示す例では、照明制御システム１は、照明制御装置１０と、複数のＤＭＸノード２０−１〜２０−ｐ（例えば、図２参照）、複数のＬＥＤ（Light  Emitting  Diodes）照明器具３０−１〜３０−３と、複数のハロゲン照明器具３１−１、３１−２と、バトン４０−１、４０−２と、調光器盤５０と、ＥＭＧパネル６０とを有する。なお、照明制御システム１は、任意の数のＤＭＸノード２０−１〜２０−ｐ、任意の数のＬＥＤ照明器具３０−１〜３０−３、任意の数のハロゲン照明器具３１−１、３１−２、任意の数のバトン４０−１、４０−２を有していてもよい。
【００２３】
また、以下の説明では、ＤＭＸノード２０−１〜２０−をＤＭＸノード２０と総称し、ＬＥＤ照明器具３０−１〜３０−３をＬＥＤ照明器具３０と総称し、ハロゲン照明器具３１−１、３１−２をハロゲン照明器具３１と総称し、バトン４０−１、４０−２をバトン４０と総称する場合がある。
【００２４】
図１に示す照明制御システム１において、照明制御装置１０とＤＭＸノード２０とは、例えばイーサネット（登録商標）やＬＡＮ（Local  Area  Network）などの所定のネットワークにより通信可能に接続される。また、ＤＭＸノード２０とＬＥＤ照明器具３０とは、ＤＭＸ５１２を拡張したＲＤＭといった双方向通信が可能な規格により接続されている。
【００２５】
照明制御装置１０は、オペレータからの操作に従って、各照明器具を制御する制御装置であり、例えば、操作卓と呼ばれる装置である。例えば、照明制御装置１０は、複数のフェーダを有し、フェーダの操作に従って、対応する照明器具の照度や色彩を制御する制御情報をＤＭＸノード２０へ送信する。
【００２６】
例えば、図２は、実施形態に係る照明制御装置の外観の一例を示す図である。一般に、フェーダー、ベルトエンコーダー、シーンボタン等といった各種の操作部を有し、各種の操作を受付ける操作装置は、構造上厚みを有することとなる。そこで、照明制御装置１０は、図２に示すように、例えば、アルミフレーム等の金属製部材により構成されるデスクと一体型とした構造を有することで、視覚的な厚みの軽減を図ることができる。
【００２７】
図１に戻り、説明を続ける。ＤＭＸノード２０は、照明制御装置１０とＬＥＤ照明器具３０との間の通信を中継する中継装置である。例えば、ＤＭＸノード２０は、通信制御部２１と、複数のポート２２−１〜２２−ｍを有する。なお、以下の説明では、ポート２２−１〜２２−ｍをポート２２と総称する場合がある。通信制御部２１は、照明制御装置１０との間で情報の送受信を行う通信装置であり、例えば、ＮＩＣ（Network  Interface  Card）などの通信装置によって実現される。また、複数のポート２２−１〜２２−ｍは、それぞれを識別するためのポート番号が付与されたポートであり、例えば、ＲＤＭ規格に従ってＬＥＤ照明器具３０と信号を送受信するためのコネクタである。
【００２８】
ＬＥＤ照明器具３０は、例えばＬＥＤなどの半導体発光素子を光源とする照明器具であり、例えば、スポットライト、ホリゾントライト、フラッドライトなどといった照明器具である。また、ＬＥＤ照明器具３０は、照明制御装置１０からの制御に従って、照明する光の照度、色彩、照明範囲などを変化させる調光処理を行うことで、スタジオや舞台などの照明演出を行う。また、ＬＥＤ照明器具３０は、ＤＭＸノード２０からＤＭＸ規格に沿った制御信号を受信すると、受信した制御信号が示す制御アドレスが自装置の制御アドレスであるか否かを判定し、自装置の制御アドレスである場合は、受信した制御信号に従って、調光処理を実行する。なお、ＬＥＤ照明器具３０には、各種系統電源から電力が供給されており、供給された電力を用いて、半導体発光素子の点灯等を行うものとする。
【００２９】
ここで、ＬＥＤ照明器具３０には、複数の制御アドレスが付与される場合がある。例えば、赤色、青色、および緑色の各色と、照度とをそれぞれ個別に設定可能である場合、ＬＥＤ照明器具３０には、各色および照度に一つずつの計４つの制御アドレスが付与され、各制御アドレスを介して、各色および照度をそれぞれ個別に制御することができる。
【００３０】
ハロゲン照明器具３１は、ハロゲンランプ等を用いた照明器具である。例えば、ハロゲン照明器具３１は、バトンや床等に設置されたコネクタと接続されており、コネクタを介して、調光器盤５０から電力を用いて、各種の点灯制御を行う。例えば、ハロゲン照明器具３１は、調光器盤５０からＰＷＭ（Pulse  Width  Modulation）方式で電力の供給が行われており、供給された電力を用いてハロゲンランプを点灯させることで、ＰＷＭ方式で供給される電力に応じた強度でハロゲンランプを点灯させることとなる。なお、ハロゲン照明器具３１は、後述する説明で明らかとなるように、１つの制御アドレスを用いて調光器盤５０を介した照度の制御を行うことができる。
【００３１】
また、ＬＥＤ照明器具３０およびハロゲン照明器具３１（以下、「各照明器具」と総称する場合がある。）は、バトン４０と呼ばれる吊り下げ器具等に取付けられている。なお、各照明器具は、バトンではなく、例えば、舞台の床等、任意の位置に設置されていてよい。
【００３２】
調光器盤５０は、ＤＭＸ信号に基づいて、ハロゲン照明器具３１の調光制御を行う装置であり、例えば、ハロゲン照明器具３１とは離間して配置される分電盤等により実現される。例えば、調光器盤５０は、各コネクタに対して制御アドレスを対応付けて保持しており、照明制御装置１０から制御アドレスとハロゲン照明器具３１を点灯させる強度とを示す制御情報を受付けると、制御情報が示す制御アドレスと対応するコネクタを特定し、特定したコネクタから、制御情報が示す照度でハロゲン照明器具３１を点灯させるための電力をＰＷＭ方式で出力する。
【００３３】
ＥＭＧパネル６０は、照明制御装置１０とは異なるネットワークを介してＬＥＤ照明器具３０およびハロゲン照明器具３１と接続され、照明制御装置１０とは独立した電源と、各照明器具に対する操作を受付ける操作部とを有しており、照明制御装置１０に障害が発生した場合に、各照明器具を制御する装置である。例えば、ＥＭＧパネル６０は、各照明器具対応するトグルスイッチを有し、トグルスイッチを介した各照明器具の点灯および消灯を実現する。
【００３４】
例えば、ＥＭＧパネル６０は、ＬＥＤ照明器具３０と対応するトグルスイッチに対しては、制御アドレスを対応付けている。そして、ＥＭＧパネル６０は、トグルスイッチを介してＬＥＤ照明器具３０を点灯させる操作を受付けた場合は、対応付けられた制御アドレスと、所定の強度（例えば、最大レベル）とを示すＤＭＸ信号を、トグルスイッチと対応するＬＥＤ照明器具３０に送信することで、ＬＥＤ照明器具３０の点灯を行う。また、ＥＭＧパネル６０は、ハロゲン照明器具３１と対応するトグルスイッチを介して、ハロゲン照明器具３１を点灯させる操作を受付けた場合は、対応付けられたハロゲン照明器具３１を所定の強度で点灯させるためのＰＷＭ信号を出力する。
【００３５】
このように、照明制御システム１は、照明制御装置１０と、照明制御装置１０と所定のネットワークを介して接続され、制御アドレスにより制御されるＬＥＤ照明器具３０と、供給される電力に応じて調光を制御するハロゲン照明器具３１と、ハロゲン照明器具３１と接続され、照明制御装置１０からの制御に従って、ハロゲン照明器具３１に対して供給する電力を制御する調光器盤５０とを有する。また、調光器盤５０は、ハロゲン照明器具３１の設置位置に対して予め対応付けらた制御アドレスを保持し、照明制御装置１０は、ハロゲン照明器具３１の設置位置と予め対応付けられた制御アドレスを用いて、ハロゲン照明器具３１を制御する。さらに、照明制御システム１は、照明制御装置１０とは異なるネットワークを介してＬＥＤ照明器具３０およびハロゲン照明器具３１と接続され、各照明器具に対する操作を各照明器具の設置位置ごとに受け付ける補助制御装置であるＥＭＧパネル６０を有する。
【００３６】
以下、照明制御システム１における各照明器具の制御について説明する。例えば、照明制御装置１０は、各フェーダに対して、各照明器具に対して予め設定された制御アドレスを対応付けて記憶する。そして、照明制御装置１０は、あるフェーダの操作が行われた場合は、操作対象となるフェーダに対して設定されていた制御アドレスと、操作後のフェーダが示す調光強度とを示す制御情報をＤＭＸノード２０や調光器盤５０へと送信する。
【００３７】
一方、通信制御部２１は、各ポート２２に対し、各ポート２２と接続されたＬＥＤ照明器具３０に対して付与された制御アドレスを対応付けて保持している。そして、通信制御部２１は、制御情報に含まれる制御アドレスがいずれかのポート２２と対応付けて保持されている場合は、制御アドレスと対応付けられていたポート２２から、制御情報が示す制御アドレスと調光強度を示すＤＭＸ信号を出力する。そして、ＬＥＤ照明器具３０は、例えば、ＤＭＸ信号が示す制御アドレスと調光強度とに従って、各色の光の調光強度や照度等を制御する。
【００３８】
一方、調光器盤５０は、受信した制御情報に含まれる制御アドレスがいずれかのコネクタと対応付けて保持されている場合は、受信した制御情報が示す調光強度でハロゲン照明器具３１を点灯させるためのＰＷＭ信号を、制御アドレスが示すコネクタから出力する。この結果、調光器盤５０は、制御アドレスを用いたハロゲン照明器具３１の制御を実現することができる。
【００３９】
なお、照明制御装置１０とＬＥＤ照明器具３０とは、ＲＤＭ規格に沿った通信を介することで、双方向通信を実現してもよい。例えば、ＬＥＤ照明器具３０に関する各種の情報（以下、「詳細情報」と記載する。）が登録された図示しないメモリを有する。例えば、ＬＥＤ照明器具３０は、ＬＥＤ照明器具３０の識別子であるＵＩＤ（Unique  Identifier）、制御可能な色彩等といった制御対象を示す情報、使用する制御アドレスの数、出力、製造会社名や機器の型番、重量などといったＬＥＤ照明器具３０の詳細を示す詳細情報が登録されている。また、ＬＥＤ照明器具３０は、制御対象に対して付与された制御アドレス、ユニバース、特殊コード、点灯時間、通電時間、パーソナリティー設定などといった情報が含まれる。
【００４０】
［照明制御システムが実行する設定処理について］
ここで、照明制御システム１が実行する設定処理の概念について説明する。例えば、図３は、制御アドレスの再利用における課題の一例を示す図である。例えば、図３に示す例では、バトン４０は、照明器具を設置可能な設置位置＃１〜＃８（例えば、ポートやコネクタに対応）を有し、ハロゲン照明器具＃Ａ、＃Ｂ、およびＬＥＤ照明器具＃Ａ、＃Ｂが設置されている。なお、ハロゲン照明器具＃Ａ、＃Ｂ、およびＬＥＤ照明器具＃Ａ、＃Ｂは、照度のみが設定可能な照明器具であるものとする。
【００４１】
より詳細には、図２中の上側に示す例では、設置位置＃１にハロゲン照明装置＃Ａが設置されており、設置位置＃２にＬＥＤ照明器具＃Ａが設置されており、設置位置＃６にハロゲン照明器具＃Ｂが設置されており、設置位置＃７にＬＥＤ照明器具＃Ｂが設置されている。また、図２中の上側に示す例では、ハロゲン照明器具＃Ａが接続するコネクタには、アドレス＃１が対応付けられており、ＬＥＤ照明器具＃Ａには、アドレス＃２が付与されており、ハロゲン照明器具＃Ｂが接続するコネクタには、アドレス＃６が対応付けられており、ＬＥＤ照明器具＃Ｂには、アドレス＃７が付与されているものとする。
【００４２】
一方、照明制御装置１０には、フェーダ＃１にアドレス＃１が設定されており、フェーダ＃２にアドレス＃２が設定されており、フェーダ＃６にアドレス＃６が設定されており、フェーダ＃７にアドレス＃７が付与されているものとする。このような状態で、フェーダ＃１が調光度「８０％（パーセント）」に設定され、フェーダ＃２が調光度「１００％」に設定され、フェーダ＃６が調光度「７０％」に設定され、フェーダ＃７が調光度「５０％」に設定されたものとする。
【００４３】
このような設定が行われた場合、設置位置＃１に設定されたハロゲン照明器具＃Ａは、フェーダ＃１に設定されたアドレス＃１がコネクタに対応付けられているため、８０％の調光度で点灯することとなる。また、設置位置＃２に設定されたＬＥＤ照明器具＃Ａは、フェーダ＃２に設定されたアドレス＃２が付与されているため、１００％の調光度で点灯することとなる。また、設置位置＃６に設定されたハロゲン照明器具＃Ｂは、フェーダ＃６に設定されたアドレス＃６がコネクタに対応付けられているため、７０％の調光度で点灯することとなる。また、設置位置＃７に設定されたＬＥＤ照明器具＃Ｂは、フェーダ＃７に設定されたアドレス＃７が付与されているため、５０％の調光度で点灯することとなる。
【００４４】
ここで、スタジオ等においては、番組ごとに照明器具の付け替えが行われるが、同一の番組を再度撮影する際に、フェーダと制御アドレスとの対応付けを再度設定するのは、手間がかかる。そこで、照明制御装置１０は、前に設定したフェーダと制御アドレスとの対応付けを再利用する機能を有する場合がある。
【００４５】
しかしながら、このようなフェーダと制御アドレスとの対応付けを再利用した場合、各照明器具が前回と同様の設置位置に設置され、かつ、前回と同一の設定が行われていない場合には、適切な照明制御を実現することができない。例えば、図２中の下側に示す例では、前回設置位置＃６に設置されていたハロゲン照明器具＃Ｂが設置位置＃１に設置され、前回設置位置＃７に設置されていたＬＥＤ照明器具＃Ｂが設置位置＃２に設置されている。また、図２中の下側に示す例では、前回設置位置＃１に設置されていたハロゲン照明器具＃Ａが設置位置＃６に設置され、前回設置位置＃２に設置されていたＬＥＤ照明器具＃Ａが設置位置＃７に設置されている。
【００４６】
ここで、ハロゲン照明器具＃Ａ、＃Ｂは、自装置ではなく、ハロゲン照明器具＃Ａ、＃Ｂが接続するコネクタに対して制御アドレスが付与されている。このため、ハロゲン照明器具＃Ａとハロゲン照明器具＃Ｂとの設置位置が入れ替わったとしても、前回と同一のフェーダで同一の設置位置に設置されたハロゲン照明器具を制御できる。例えば、図２の下側に示す場合は、設置位置＃１に設置されたハロゲン照明器具＃Ｂは、フェーダ＃１による制御に従い、「８０％」の調光度で点灯し、設置位置＃６に設置されたハロゲン照明器具＃Ａは、フェーダ＃６による制御に従い、「７０％」の調光度で点灯することとなる。
【００４７】
しかしながら、ＬＥＤ照明器具＃Ａ、＃Ｂには、それぞれ個別に制御アドレスが設定されているため、設置位置が変化した場合は、適切な照明制御を実現することができなくなる。例えば、設置位置＃２に設置されたＬＥＤ照明器具＃Ｂには、前回設定されたアドレス＃７が付与されているため、アドレス＃２が設定されたフェーダ＃２ではなく、アドレス＃７が設定されたフェーダ＃７に従って点灯することとなる。また、設置位置＃７に設置されたＬＥＤ照明器具＃Ａには、前回設定されたアドレス＃２が付与されているため、アドレス＃７が設定されたフェーダ＃７ではなく、アドレス＃２が設定されたフェーダ＃２に従って点灯することとなる。
【００４８】
ここで、一般的なオペレータは、照明制御装置１０が有する各フェーダが各設置位置と対応するものとして操作を行う。このため、ＬＥＤ照明器具＃Ａ、＃Ｂの設置位置が入れ替わった場合、設置位置＃２に設置されたＬＥＤ照明器具＃Ｂを制御しようとしてフェーダ＃２を操作しているにも関わらず、設置位置＃７に設置されたＬＥＤ照明器具＃Ａが制御され、設置位置＃７に設置されたＬＥＤ照明器具＃Ａを制御しようとしてフェーダ＃７を操作しているにも関わらず、設置位置＃２に設置されたＬＥＤ照明器具＃Ｂが制御されてしまう。
【００４９】
このように、ハロゲン照明器具３１は、設置位置を入替えたとしても前回と同様の操作が期待できるが、ＬＥＤ照明器具３０は、設置位置を入替えた際に、前回と同様の操作を期待することができない。この結果、ハロゲン照明器具３１とＬＥＤ照明器具３０とで、吊り下げの再現を行う際に、ルールが煩雑になる恐れがある。
【００５０】
また、ＬＥＤ照明器具３０は、出力可能な光の強度（例えば、１ｋｗ（キロワット）や２ｋｗ等）、制御可能な色彩の数（例えば、ＲＧＢ（Red  Green  Blue）やＣＭＹＫ（Cyan  Magenta  Yellow  Key  plate））、操作に対する反応速度等が異なる。このため、ＬＥＤ照明器具３０の設置位置が変化した場合は、適切な照明制御を実現することができなくなる恐れがある。
【００５１】
さらに、ＥＭＧパネルは、各トグルスイッチに対して、制御アドレスが予め対応付けられている。このため、例えば、ＬＥＤ照明器具＃ＡとＬＥＤ照明器具＃Ｂとが入れ替わっている場合は、設置位置＃７に設置されたＬＥＤ照明器具を点灯させようとしてトグルスイッチの操作が行われているにも関わらず、設置位置＃２に設置されたＬＥＤ照明器具が点灯してしまう。
【００５２】
そこで、照明制御装置１０は、以下の設定処理を実行する。まず、照明制御装置１０は、各制御アドレスにより制御される各照明器具が設置された設置位置を検出する。そして、照明制御装置１０は、照明器具に対し、照明器具が設置された設置位置に対して予め対応付けられていた制御アドレスを設定する。すなわち、照明制御装置１０は、各照明器具が設置されている設置位置に応じた制御アドレスの自動設定を行う。
【００５３】
例えば、照明制御装置１０は、ＤＭＸ規格およびＲＤＭ規格の通信を用いて、各ＬＥＤ照明器具３０の設置位置を特定する。例えば、照明制御装置１０は、各ＤＭＸノード２０に対し、各ポート２２に接続されているＬＥＤ照明器具３０から、ＵＩＤ等の詳細情報を収集するように指示する。このような場合、各ＤＭＸノード２０は、ＲＤＭ規格に沿った通信を用いて、自装置のポート２２に接続されたＬＥＤ照明器具３０の詳細情報を収集する。そして、各ＤＭＸノード２０は、あるポートを介して収集した詳細情報に対し、自装置の識別子とそのポートの識別子とを対応付けた情報を生成し、生成した情報を照明制御装置１０へと送信する。このような処理の結果、照明制御装置１０は、各ＤＭＸノード２０の各ポート２２に接続されたＬＥＤ照明器具３０を識別することができる。
【００５４】
また、照明制御装置１０は、調光器盤５０に対して、ハロゲン照明器具３１の設置位置を要求する。このような場合、調光器盤５０は、各コネクタにおける電圧特性を測定し、電圧特性が所定の条件を満たす場合は、そのコネクタにハロゲン照明器具３１が接続されていると判定する。そして、調光器盤５０は、ハロゲン照明器具３１が接続されているコネクタを示す情報を照明制御装置１０へと送信する。このような処理の結果、照明制御装置１０は、各コネクタに接続されたハロゲン照明器具３１を識別することができる。
【００５５】
ここで、照明制御装置１０は、各照明器具が設置された位置に応じて、制御アドレスを自動的に付与する。例えば、図２に示す例においては、照明制御装置１０は、設置位置＃１に対して制御アドレス＃１、設置位置＃２に対して制御アドレス＃２、設置位置＃６に対して制御アドレス＃６、設置位置＃７に対して制御アドレス＃７をあらかじめ保持しておく。
【００５６】
そして、照明制御装置１０は、例えば、図２の下側に示す例では、設置位置＃１に設置されたハロゲン照明器具＃Ｂが接続するコネクタに制御アドレス＃１を設定する。例えば、照明制御装置１０は、ハロゲン照明器具＃Ｂが接続するコネクタに対して制御アドレス＃１を付与するように調光器盤５０に指示する。このような場合、調光器盤５０は、ハロゲン照明器具＃Ｂが接続するコネクタ、すなわち、設置位置＃１に対応するコネクタに対して制御アドレス＃１を設定する。
【００５７】
また、照明制御装置１０は、設置位置＃２に設置されたＬＥＤ照明器具＃Ｂに設定されている制御アドレス＃７を制御アドレス＃２に更新する。例えば、照明制御装置１０は、ＤＭＸノード２０に対し、設置位置＃２に接続されたＬＥＤ照明器具＃Ｂの制御アドレスを制御アドレス＃２に更新する旨の指示を示す制御情報を送信する。このような場合、ＤＭＸノード２０は、ＲＤＭ規格に沿った通信を行うことにより、ＬＥＤ照明器具＃Ｂの制御アドレスを制御アドレス＃２に更新する。同様に、照明制御装置１０は、設置位置＃６に設置されたハロゲン照明器具＃Ａが接続するコネクタに制御アドレス＃６を設定する。また、照明制御装置１０は、設置位置＃７に設置されたＬＥＤ照明器具＃Ａに設定されている制御アドレス＃２を制御アドレス＃７に更新する。
【００５８】
このような処理の結果、照明制御装置１０は、各照明器具に対し、設置位置に応じた制御アドレスを付与することができる。この結果、照明制御装置１０は、照明器具の設置位置が入れ替わった場合であっても、各照明器具に対し、設置位置に応じた制御アドレスを付与することができるので、例えば、フェーダを操作した際に操作対象となる照明器具の設置位置を一定に保つことができる。このため、照明制御装置１０は、照明器具の設置位置が入れ替わった場合であっても、照明器具の再設置の手間を削減することができるので設定作業の効率を向上させることができる。
【００５９】
また、このような処理の結果、ＥＭＧパネル６０が各照明器具を制御する際に用いる制御アドレスと、各照明器具の設置位置とを一定に保つことができる。この結果、照明制御装置１０は、ＥＭＧパネル６０の再設定の手間を防ぐとともに、想定外の操作が行われることを防ぐことができる。
【００６０】
［照明制御装置の構成例］
以下、図４を用いて、実施形態に係る照明制御装置１０の機能構成の一例を説明する。図４は、実施形態に係る照明制御装置の機能構成の一例を示すブロック図である。図４に示す例では、照明制御装置１０は、通信部１１と、記憶部１２と、表示部１３と、複数の操作部１４ａ〜１４ｃ（以下、「操作部１４」と総称する。）と、制御部１５とを有する。  
【００６１】
通信部１１は、例えば、所定の通信回路などによって実現される。例えば、通信部１１は、イーサネットやＬＡＮなどのネットワークを介して、ＤＭＸノード２０や調光器盤５０との間の通信を中継する。  
【００６２】
記憶部１２は、例えば、ＲＡＭ（Random  Access  Memory）、フラッシュメモリ（Flash  Memory）などの半導体メモリ素子、または、ハードディスク、光ディスクなどの記憶装置によって実現される。実施形態に係る記憶部１２は、図２に示すように、対応関係データ１２ａと、調光管理テーブル１２ｂと、接続機器管理テーブル１２ｃとを有する。  
【００６３】
対応関係データ１２ａには、たとえば、照明器具の設置位置と、設置位置に応じた制御アドレスとが対応付けて登録されている。例えば、図５は、実施形態に係る対応関係データの一例を示す図である。図５に示すように、対応関係データ１２ａは、「調光器盤番号」、「ノード番号」、「ポート番号」、「バトン番号」、「コネクタ位置番号」、「アドレス情報」、「フェーダ番号」および「照明器具情報」といった項目を有する情報を含む。
【００６４】
ここで、「調光器盤番号」とは、照明器具に対して電力を供給する調光器盤を識別するための番号である。また、「ノード番号」とは、照明器具が接続されるＤＭＸノード２０を識別するための番号である。また「ポート番号」とは、照明器具が接続される調光器盤若しくはＤＭＸノード２０のポートを識別するための番号である。また、「バトン番号」とは、対応付けられた「調光器盤番号」、「ノード番号」、および「ポート番号」により特定される設置位置を識別するための情報であり、例えば、照明器具が設置されるバトン、および、バトンのうちどの位置に設置されるかを示す情報である。また、コネクタ位置番号とは、照明器具に対して電力を供給するコネクタを識別するための番号である。
【００６５】
また、「アドレス情報」とは、照明器具の設置位置に対して予め付与されている制御アドレスであり、例えば、ＤＭＸアドレスである。また、「フェーダ番号」とは、対応付けられた設置位置に設置された照明器具を制御する際に用いるフェーダを識別するための番号である。また、「照明器具情報」とは、設置されるべき照明器具の種別等を示す情報であり、例えば、「照明器具情報」は、照明器具がＬＥＤ照明器具３０であるか、ハロゲン照明器具３１であるか、照明器具の種別（例えば、スポットライトであるか、フラットライトであるか等）、出力、使用する制御アドレスの数等といった照明器具に関する各種の情報を示す。
【００６６】
ここで、照明器具の設置位置は、「調光器盤番号」および「コネクタ位置番号」の組、若しくは、「ノード番号」および「ポート番号」の組により示すことができる。例えば、図５に示す例では、調光器盤番号「Ｄ１」、バトン番号「１Ｘ」、コネクタ位置番号「Ｃ１」、アドレス情報「４１２」、フェーダ番号「Ｆ１」、および照明器具情報「照明器具＃Ｂ１Ｃ１」が対応付けて登録されている。このような情報は、調光器盤番号「Ｄ１」が示す調光器盤５０からＰＷＭ方式による制御を受けるハロゲン照明器具３１が、コネクタ位置番号「Ｃ１」が示すコネクタに接続され、バトン番号「１Ｘ」が示すバトンに設置される旨を示す。また、このような情報は、調光器盤番号「Ｄ１」が電力が供給されるコネクタのうちコネクタ位置番号「Ｃ１」が示すコネクタに対して、制御アドレス「４１２」が予め付与されており、フェーダ番号「Ｆ１」が有するフェーダにも、制御アドレス「４１２」が対応付けられている旨を示す。また、このような情報は、調光器盤番号「Ｄ１」が電力が供給されるコネクタのうちコネクタ位置番号「Ｃ１」が示すコネクタに対して接続されるハロゲン照明器具３１の各種詳細情報が、照明器具情報「器具情報＃Ｂ１＃Ｃ１」である旨を示す。
【００６７】
また、例えば、図５に示す例では、ノード番号「Ｎ１」、ポート番号「Ｐ１」、バトン番号「１Ｘ」、コネクタ位置番号「Ｃ２」、アドレス情報「４１３〜４１６」、フェーダ番号「Ｆ２〜Ｆ５」、および照明器具情報「照明器具＃Ｂ１Ｃ２」が対応付けて登録されている。このような情報は、ノード番号「Ｎ１」が示すＤＭＸノード２０が有するポートのうち、ポート番号「Ｐ１」が示すポートに対してＬＥＤ照明器具３０が接続され、バトン番号「１Ｘ」が示すバトンに設置される旨を示す。また、このような情報は、コネクタ位置番号「Ｃ２」が示すコネクタを介して、ＬＥＤ照明器具３０に電力が供給される旨を示す。また、このような情報は、ノード番号「Ｎ１」が示すＤＭＸノード２０が有するポートのうち、ポート番号「Ｐ１」が示すポートに対して「４１３〜４１６」までの４つの制御アドレスが対応付けられており、さらに、フェーダ番号「Ｆ２〜Ｆ５」が有するフェーダにも、制御アドレス「４１３〜４１６」が対応付けられている旨を示す。また、このような情報は、ノード番号「Ｎ１」が示すＤＭＸノード２０が有するポートのうち、ポート番号「Ｐ１」が示すポートに対して接続されるＬＥＤ照明器具３０の各種詳細情報が、照明器具情報「器具情報＃Ｂ１Ｃ２」である旨を示す。
【００６８】
なお、図５に示す情報以外にも、対応関係データ１２ａには、各設置位置に設置される照明器具に関する任意の情報が登録されていてよい。例えば、対応関係データ１２ａには、各照明器具に対して設定されるユニバースの情報が登録されていてもよい。また、記憶部１２は、例えば、番組ごとに異なる内容の対応関係データ１２ａを保持していてもよい。また、図５に示す例では、「照明器具＃Ｂ１Ｃ２」といった概念的な値を記載したが、実際には、設置されるべき照明器具に関する各種の情報が登録されるものとする。
【００６９】
図４の説明に戻る。記憶部１２の調光管理テーブル１２ｂには、所謂シーンごとに調光制御データが登録されている。例えば、図６は、実施形態に係る調光管理テーブルの一例を示す図である。図６に示すように、調光管理テーブル１２ｂには、「シーンボタン」および「調光制御データ」といった項目を有する情報が登録されている。ここで、「シーンボタン」とは、所謂シーンを再現するための操作を受付けるためのボタンを示す情報である。また、「調光制御データ」とは、対応付けられたシーンボタンが操作された場合に、所定のシーンを再現するため、各照明器具に対して付与された制御アドレスと調光レベルとを対応付けたデータである。なお、図６に示す例では、「調光制御データ」として「データＡ」といった概念的な値を記載した。
【００７０】
例えば、図６に示す例では、シーンボタン「ボタン＃１」に対して調光制御データ「データＡ」が対応付けて登録されている。このような情報は、シーンボタン「ボタン＃１」が選択された場合に、調光制御データ「データＡ」に従って、各制御アドレスに対して調光レベルを出力することで、対応するシーンの再現が行われる旨を示す。
【００７１】
図４の説明に戻る。記憶部１２の接続機器管理テーブル１２ｃには、照明制御装置１０や、調光器盤５０に接続された照明器具に関する情報が登録される。例えば、図７は、実施形態に係る接続機器管理テーブルの一例を示す図である。図７に示す例では、接続機器管理テーブル１２ｃには、「調光器盤番号」、「ノード番号」、「ポート番号」、「バトン番号」、「コネクタ位置番号」、「アドレス情報」、および「詳細情報」が対応付けて登録されている。
【００７２】
ここで、図７に示す「アドレス情報」は、対応付けられた設置位置に実際に設置された照明器具や、コネクタに対して実際に設定されている制御アドレスを示す情報である。また、「詳細情報」は、対応付けられた設置位置に実際に設置された照明器具からＲＤＭ規格の通信等を用いて取得した照明器具の詳細情報である。なお、図７に示す情報のうち、「調光器盤番号」、「ノード番号」、「ポート番号」、「バトン番号」および「コネクタ位置番号」は、図６に示した対応関係データ１２ａと同様の対応が予め採用されることとなる。
【００７３】
例えば、図７に示す例では、ノード番号「Ｎ１」、ポート番号「Ｐ１」、バトン番号「１Ｘ」、コネクタ位置番号「Ｃ２」、アドレス情報「１２０〜１２４」、および詳細情報「詳細情報＃１」が対応付けて登録されている。このような情報は、ノード番号「Ｎ１」が示すＤＭＸノード２０が有するポート２２のうち、ポート番号「Ｐ１」が示すポートに接続されたＬＥＤ照明器具３０に対し、制御アドレス「１２０〜１２４」が付与されており、ＬＥＤ照明器具３０の制御情報が「詳細情報＃１」である旨を示す。
【００７４】
図４に戻り、説明を続ける。表示部１３は、任意の情報を表示可能な表示装置であり、例えば、液晶モニタやタッチパネルなどにより実現される。なお、表示部１３が表示する画面としては、対応関係データ１２ａとして保存された各照明器具の設置位置や、接続機器管理テーブル１２ｃとして記憶された各照明器具の設置位置の情報などが採用される。
【００７５】
操作部１４は、操作者からの操作を受付ける入力装置であり、例えば、フェーダやボタンなどといった入力装置により実現される。なお、操作部１４は、サブマスタフェーダ、シーンボタン、エフェクトボタンなど、１つ以上の照明器具に対する所定の操作を行うための入力装置であってもよい。  
【００７６】
なお、例えば、表示部１３が操作者からの操作を受け付けることができるタッチパネルにより実現される場合は、表示部１３と操作部１４とは、一体の装置として実現されていてもよい。このような場合、操作部１４は、画面上に表示される仮想的な入力装置により実現されうる。  
【００７７】
制御部１５は、照明制御装置１０の各部を制御するコントローラである。例えば、制御部１５は、ＣＰＵ（Central  Processing  Unit）、ＭＰＵ（Micro  Processing  Unit）等のプロセッサであってもよいし、ＦＰＧＡ（Field  Programmable  Gate  Array）、ＡＳＩＣ（Application  Specific  Integrated  Circuit）等の集積回路であってもよい。制御部１５は、照明制御装置１０内の各種メモリを記憶領域として利用し、処理手順などを規定したプログラム及び所要データを用いて、種々の処理を実行する。
【００７８】
例えば、図４に示す例では、制御部１５は、検出部１５ａと、保存部１５ｂと、読出部１５ｃと、比較部１５ｄと、出力部１５ｅと、設定部１５ｆと、付与部１５ｇと、表示制御部１５ｈとを有する。  
【００７９】
検出部１５ａは、各設置位置に設置された照明器具を検出する。例えば、検出部１５ａは、制御アドレスにより制御される各照明器具が設置された設置位置を検出する。例えば、検出部１５ａは、ＬＥＤ照明器具３０が接続されたＤＭＸノード２０と、ＤＭＸノード２０が有するポート２２のうちＬＥＤ照明器具３０が接続されたポートとを検出する。また、検出部１５ａは、ハロゲン照明器具３１が接続されたコネクタを特定する。また、検出部１５ａは、各照明器具の設置位置に加えて、各照明器具の種別を示す情報、すなわち、照明器具情報を検出する。
【００８０】
例えば、検出部１５ａは、オペレータからの操作に従って、各設置位置に設置された照明器具の情報を収集する。例えば、検出部１５ａは、各ＤＭＸノード２０に対し、各ポートに接続された照明器具の情報を送信するように要求する。このような場合、各ＤＭＸノード２０は、ＲＤＭ規格の通信を介して、自装置の各ポートに接続されたＬＥＤ照明器具３０に付与された制御アドレスや詳細情報を読出し、各ＬＥＤ照明器具３０が接続されたポートのポート番号や自装置のノード番号と対応付けて照明制御装置１０へと送信する。また、調光器盤５０は、各コネクタのうち、照明器具が接続されたコネクタを検出し、検出したコネクタに対して対応付けていた制御アドレスを照明制御装置１０へと送信する。
【００８１】
保存部１５ｂは、検出部１５ａにより検出された情報を接続機器管理テーブル１２ｃに登録する。例えば、保存部１５ｂは、ＤＭＸノード２０や調光器盤５０から取得した情報を接続機器管理テーブル１２ｃへと登録する。
【００８２】
例えば、検出部１５ａは、ＤＭＸノード２０−１から、ＤＭＸノード２０−１を識別するノード番号「Ｎ１」と、ＤＭＸノード２０−１が有するポート２２−１を示すポート番号「Ｐ１」と、ポート２２−１に接続されたＬＥＤ照明器具３０−１に付与されたアドレス情報「１２０〜１２４」と、ＬＥＤ照明器具３０−１の詳細情報＃１とを受付ける。このような場合は、保存部１５ｂは、対応関係データ１２ａを参照し、検出部１５ａにより検出されたノード番号「Ｎ１」と、ポート番号「Ｐ１」とに対応付けられたバトン番号「１Ｘ」およびコネクタ位置番号「Ｃ２」を特定する。そして、保存部１５ｂは、受付けられた情報と特定したバトン番号およびコネクタ位置番号を対応付けて、接続機器管理テーブル１２ｃへと登録する。
【００８３】
また、例えば、検出部１５ａは、調光器盤５０から、調光器盤番号「Ｄ１」とコネクタ位置番号「Ｃ１」とアドレス情報「１０３」とを受付ける。このような場合は、保存部１５ｂは、対応関係データ１２ａを参照し、調光器盤番号「Ｄ１」と、コネクタ位置番号「Ｃ１」とに対応付けられたバトン番号「１Ｘ」を特定する。そして、保存部１５ｂは、受付けられた情報とバトン番号とを対応付けて、接続機器管理テーブル１２ｃへと登録する。
【００８４】
読出部１５ｃは、保存部１５ｂにより保存された対応関係データ１２ａを読み出す。たとえば、読出部１５ｃは、対応関係データ１２ａと接続機器管理テーブル１２ｃとに登録された情報のうち、同一のバトン番号および同一のコネクタ位置番号に対応付けられたアドレス情報を読み出す。なお、読出部１５ｃは、アドレス情報のみならず、照明器具情報を合わせて読み出してもよい。また、読出部１５ｃは、調光器盤番号とコネクタ位置番号との組が同一の情報を読み出してもよく、ノード番号とポート番号との組が同一の情報を読み出してもよい。
【００８５】
比較部１５ｄは、読出部１５ｃによって読み出された情報を比較する。例えば、読出部１５ｃは、対応関係データ１２ａとして予め設定されていたアドレス情報と、検出部１５ａにより検出されたアドレス情報とを比較し、各アドレス情報が一致するか否かを判定する。そして、比較部１５ｄは、アドレス情報が一致しなかった場合は、読出部１５ｃによってアドレス情報が読み出された設置位置、例えば、バトン番号とコネクタ位置番号とを出力部１５ｅに通知する。
【００８６】
例えば、比較部１５ｄは、対応関係データ１２ａとしてノード番号「Ｎ１」およびポート番号「Ｐ１」の組に対応付けられたアドレス情報「４１３〜４１６」と、接続機器管理テーブル１２ｃにノード番号「Ｎ１」およびポート番号「Ｐ１」の組に対応付けられたアドレス情報「１２０〜１２４」とを比較し、これらのアドレス情報が一致しないと判定する。このような場合、比較部１５ｄは、ノード番号「Ｎ１」およびポート番号「Ｐ１」の組、若しくは、バトン番号「１Ｘ」およびコネクタ位置番号「Ｃ１」の組（若しくはその両方）を出力部１５ｅに通知する。
【００８７】
また、比較部１５ｄは、対応関係データ１２ａとして予め登録されていた照明器具情報と、検出部１５ａによって読み出された詳細情報とを比較し、照明器具情報が示す条件を詳細情報が満たすか否かを判定する。そして、比較部１５ｄは、照明器具情報が示す条件を詳細情報が満たさなかった場合は、読出部１５ｃによってアドレス情報が読み出された設置位置、例えば、バトン番号とコネクタ位置番号とを出力部１５ｅに通知する。
【００８８】
また、比較部１５ｄは、対応関係データ１２ａとして登録されていた「器具情報＃Ｂ１Ｃ２」と接続機器管理テーブル１２ｃに登録されていた「詳細情報＃１」とを比較し、「器具情報＃Ｂ１Ｃ２」が示す条件を「詳細情報＃１」が満たすか否かを判定する。例えば、比較部１５ｄは、「器具情報＃Ｂ１Ｃ２」が示す照明の種別と「詳細情報＃１」が示す照明の種別とが同一であるか否か、「詳細情報＃１」が示す照明の出力が「器具情報＃Ｂ１Ｃ２」が示す照明の出力と同一（若しくはそれ以上）であるか否か等を判定する。そして、比較部１５ｄは、「器具情報＃Ｂ１Ｃ２」が示す条件を「詳細情報＃１」が満たさない場合は、ノード番号「Ｎ１」およびポート番号「Ｐ１」の組、若しくは、バトン番号「１Ｘ」およびコネクタ位置番号「Ｃ１」の組（若しくはその両方）を出力部１５ｅに通知する。
【００８９】
出力部１５ｅは、比較部１５ｄで比較された結果を表示部１３に出力する。例えば、出力部１５ｅは、検出された種別が、設置位置と対応付けられた条件を満たさない場合は、警告を出力する。例えば、出力部１５ｅは、比較部１５ｄによってアドレス情報が一致しないと判断された設置位置や、器具情報が示す条件を詳細情報が満たさないと判断された設置位置を示す情報を画面上に表示させることで、オペレータへの警告を行う。
【００９０】
設定部１５ｆは、照明器具に対し、照明器具が設置された設置位置に対して予め対応付けられていた制御アドレスを設定する。例えば、設定部１５ｆは、比較部１５ｄにより、制御アドレスが一致しないと判別された設置位置を特定し、特定した設置位置と対応付けられたドレス情報を対応関係データ１２ａから読み出す。そして、設定部１５ｆは、特定した設置位置に接続されている照明器具に対し、対応関係データ１２ａから読み出したアドレス情報を付与する。
【００９１】
例えば、設定部１５ｆは、接続機器管理テーブル１２ｃに登録された制御アドレスが対応関係データ１２ａに登録されている制御アドレスと一致しなかった設置位置として、調光器盤番号が登録されていなかった場合は、ノード番号とポート番号との組を特定する。このような場合、設定部１５ｆは、特定したノード番号とポート番号との組に対応付けられた制御アドレスを対応関係データ１２ａから読み出す。そして、設定部１５ｆは、特定したノード番号が示すＤＭＸノード２０に対し、特定したポート番号と制御アドレスとを通知する。このような場合、ポート番号と制御アドレスとの通知を受付けたＤＭＸノード２０は、通知されたポート番号が示すポートに接続されたＬＥＤ照明器具３０に対し、ＤＭＸ規格やＲＤＭ規格の通信を用いて、通知された制御アドレスを設定する。
【００９２】
一方、設定部１５ｆは、接続機器管理テーブル１２ｃに登録された制御アドレスが対応関係データ１２ａに登録されている制御アドレスと一致しなかった設置位置として、調光器盤番号が登録されていた場合は、調光器盤番号とコネクタ位置番号との組を特定する。このような場合、設定部１５ｆは、特定した調光器盤番号とコネクタ位置番号との組に対応付けられた制御アドレスを対応関係データ１２ａから読み出す。そして、設定部１５ｆは、特定した調光器盤番号が示す調光器盤５０に対し、特定したコネクタ位置番号と制御アドレスとを通知する。このような場合、調光器盤５０は、通知されたコネクタ位置番号が示すコネクタに対し、通知された制御アドレスを設定する。
【００９３】
上述した処理の結果、設定部１５ｆは、照明器具が接続されたコネクタに対して予め対応付けられていた制御アドレスを設定することができる。また、設定部１５ｆは、照明器具が接続されたＤＭＸノード２０とポート２２との組に対して予め対応付けられていた制御アドレスを設定することができる。
【００９４】
なお、設定部１５ｆは、照明器具の詳細情報が、設置位置と対応付けられた条件（すなわち、照明器具情報が示す条件）を満たす場合は、設置位置に対して予め対応付けられていた制御アドレスを照明器具に対して設定し、満たさない場合は、制御アドレスの設定を行わずともよい。例えば、設定部１５ｆは、ノード番号「Ｎ１」およびポート番号「Ｐ１」に対応付けられた詳細情報＃１が、「器具情報＃Ｂ１Ｃ２」の条件を満たさない場合は、ノード番号「Ｎ１」およびポート番号「Ｐ１」が示す設置位置に接続された照明器具の制御アドレスを更新せずともよい。
【００９５】
なお、ＤＭＸ規格およびＲＤＭ規格においては、一つのポート２２に対して複数のＬＥＤ照明器具３０を直列に接続可能である。このように、一つのポート２２に対して複数のＬＥＤ照明器具３０が直列に接続されている場合は、照明制御装置１０は、これら複数のＬＥＤ照明器具３０に対して同一の制御アドレスを付与することとなる。例えば、照明制御装置１０は、ノード番号「Ｎ１」およびポート番号「Ｐ１」が示す設置位置に、複数のＬＥＤ照明器具３０が直列に接続されている場合、これらのＬＥＤ照明器具３０の各々に対し、制御アドレス「４１３〜４１６」を設定することとなる。
【００９６】
付与部１５ｇは、オペレータからの操作に応じて、各照明器具に対する制御アドレスの一括付与を行う。例えば、付与部１５ｇは、オペレータからの操作が行われた場合は、対応関係データ１２ａを参照し、各設置位置に対応付けられたアドレス情報を読み出す。そして、付与部１５ｇは、読み出したアドレス情報を各設置位置に接続された照明器具に設定するように、ＤＭＸノード２０や調光器盤５０に通知する。
【００９７】
表示制御部１５ｈは、各種の表示制御を行う。例えば、表示制御部１５ｈは、表示部１３を制御することで、各設置位置を模擬的に示す画面や、各設置位置に接続された照明器具の情報等を表示させる。例えば、表示制御部１５ｈは、接続機器管理テーブル１２ｃを参照し、バトンやポート等といった設置位置を模擬的に示す画面を表示するとともに、各設置位置に接続された照明器具を示すアイコン等を表示する。なお、表示制御部１５ｈは、検出された詳細情報に基づいて、照明器具の種別に応じた形状のアイコンを表示してもよく、出力や種別、設定済みの制御アドレスを合わせて表示してもよい。
【００９８】
また、表示制御部１５ｈは、対応関係データ１２ａに登録された制御アドレスと異なる制御アドレスが付与された照明器具の設置位置を強調表示してもよい。また、表示制御部１５ｈは、照明器具情報が示す条件を満たさない照明器具が設置された設置位置を強調表示してもよい。また、表示制御部１５ｈは、各照明器具に設置位置に応じた制御アドレスが設定された場合は、設定後の制御アドレスを示す情報を画面上に表示させてもよい。また、このようにして表示された画面は、各照明器具のうち、制御対象となる照明器具の選択を受付けるための画面として表示されてもよく、各照明器具の状態（例えば、出力する光の色彩や強度等）を示す情報を表示するための画面として表示されてもよい。
【００９９】
例えば、図８は、実施形態に係る照明制御装置が表示する画面の一例を示す図である。例えば、図８に示す例では、照明制御装置１０は、それぞれが１番〜５番までの設置位置（例えば、ＤＭＸノードのポートに対応）を有する複数のバトン１Ｂ、２Ｂ、１Ｘ〜４Ｘ、１Ｙ〜４Ｙ、１Ｚ〜４Ｚの位置を模式的に示す画面を表示する。また、照明制御装置１０は、各バトンの設置位置のうち、照明器具が設置された設置位置を特定し、特定した設置位置に対して、照明器具が接続されている旨を示す表示（例えば、斜線等）を重ねて表示する。また、照明制御装置１０は、各設置位置に対してあらかじめ対応付けられていた制御アドレス（すなわち、ＤＭＸアドレス）であって、各設置位置に設置された照明器具に対して設定された制御アドレスを合わせて表示する。
【０１００】
［照明制御処理のフロー］
次に、図９を用いて、照明制御装置１０が実行する設定処理の流れの一例を説明する。図９は、実施形態に係る設定処理の流れの一例を示すフローチャートである。  
【０１０１】
例えば、照明制御装置１０は、設置位置と照明器具との対応関係を収集する（ステップＳ１０１）。より具体的には、照明制御装置１０は、各設置位置に接続された照明器具の制御アドレスを収集する。続いて、照明制御装置１０は、設定済みの対応関係と収集した対応関係とを比較し（ステップＳ１０２）、設置位置と制御アドレスとの対応関係が一致したか否かを判定する（ステップＳ１０３）。例えば、照明制御装置１０は、収集した設置位置と制御アドレスとの組が、予め設定されていた設置位置と制御アドレスとの組と一致したか否かを判定する。
【０１０２】
そして、照明制御装置１０は、対応関係が一致しなかった場合は（ステップＳ１０３：Ｎｏ）、設置位置に応じた制御アドレスを照明器具に付与する（ステップＳ１０４）。一方、照明制御装置１０は、対応関係が一致した場合は（ステップＳ１０３：Ｙｅｓ）、ステップＳ１０４をスキップする。
【０１０３】
また、照明制御装置１０は、設置位置と照明種別との対応関係が一致したか否かを判定する（ステップＳ１０５）。例えば、照明制御装置１０は、設置位置に対して予め定められていた照明の種別と、収集した照明の種別とが一致するか否かを判定する。そして、照明制御装置１０は、照明の種別が一致しなかった場合は（ステップＳ１０５：Ｎｏ）、アラートをオペレータに提供する（ステップＳ１０６）。一方、照明制御装置１０は、設置位置と照明種別との対応関係が一致した場合は（ステップＳ１０５：Ｙｅｓ）、ステップＳ１０６をスキップする。
【０１０４】
そして、照明制御装置１０は、設置位置と制御アドレスや照明種別等の対応関係を表示し（ステップＳ１０７）、処理を終了する。なお、照明制御装置１０は、ステップＳ１０５およびステップＳ１０６を先に実行し、その後にオペレータからの許可を受付けた際に、ステップＳ１０３とステップＳ１０４を実行してもよい。
【０１０５】
上述してきたように、実施形態に係る照明制御装置１０は、制御アドレスにより制御される照明器具が設置された設置位置を検出し、照明器具に対し、照明器具が設置された設置位置に対して予め対応付けられていた制御アドレスを設定する。このような処理の結果、照明制御装置１０は、各照明器具を操作する際に用いる制御アドレスを、照明器具が設置された設置位置に応じた制御アドレスに保つことができるので、例えば、過去と同様の制御アドレスを各照明器具に対して容易に設定することができ、設定作業の効率を向上させることができる。
【０１０６】
また、照明制御装置１０は、各照明器具に対し、設置位置に応じた制御アドレスを付与するので、例えば、過去のシーンデータの再利用を容易にするとともに、ＥＭＧパネル６０の再設定の手間を削減することができる。
【０１０７】
なお、上述した対応関係データ１２ａは、任意のタイミングでオペレータにより設定されるものであってもよい。また、照明制御装置１０は、設置位置と制御アドレスとの対応が異なる対応関係データ１２ａを複数記憶し、オペレータにより選択された対応関係データ１２ａを用いて、上述した設定処理を実行してもよい。このような処理を実行した場合、例えば、照明制御装置１０は、番組ごとに対応関係データ１２ａを保持することで、設定作業の効率をさらに向上させることができる。
【０１０８】
また、上述した例では、各照明器具と対応するＤＭＸアドレスを用いて、照明器具の制御を行う例について説明したが、実施形態は、これに限定されるものではない。例えば、ＤＭＸノード２０が有する機能と、バトン４０が有する機能とをまとめたスマートセンピ（線樋）と呼ばれる装置が知られている。このようなスマートセンピには、ＲＤＭ規格の通信を用いて、各ポート２２に接続された照明器具からＤＭＸアドレスを読出し、読み出したＤＭＸアドレスを表示する画面や、スマートセンピを識別するための数値や文字列等を表示する画面を有するものがある。
【０１０９】
しかしながら、このような画面を有するスマートセンピでは、照明器具の制御を容易にすることができるものの、不要な情報が撮影されてしまう恐れや、撮影範囲外から漏れ出た光が撮影されてしまう恐れがある。そこで、照明制御装置１０は、このようなスマートセンピの表示を制御する機能を有していてもよい。例えば、照明制御装置１０は、スマートセンピが有する各画面に対してＤＭＸアドレスを付与し、ＤＭＸアドレスを用いて、画面の点灯或いは消灯を制御してもよい。また、照明制御装置１０は、複数の画面ごと或いはスマートセンピごとに付与されたＤＭＸアドレスを用いて、画面の制御を実現してもよい。また、このような画面の制御は、照明制御装置１０のみならず、例えば、調光器盤５０やＥＭＧパネル６０により実現されてもよい。
【０１１０】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。  
【符号の説明】
【０１１１】
１    照明制御システム
１０    照明制御装置
１１    通信部
１２    記憶部
１２ａ  対応関係データ
１２ｂ  調光管理テーブル
１２ｃ  接続機器管理テーブル
１３    表示部
１４    操作部
１５    制御部
１５ａ  検出部
１５ｂ  保存部
１５ｃ  読出部
１５ｄ  比較部
１５ｅ  出力部
１５ｆ  設定部
１５ｇ  付与部
１５ｈ  表示制御部
２０、２０−１〜２０−ｐ  ＤＭＸノード
２１  通信制御部
２２、２２−１〜２２−３  ポート
３０、３０−１、３０−３  ＬＥＤ照明器具
３１、３１−１、３１−２  ハロゲン照明器具
４０、４０−１、４０−２  バトン
５０  調光器盤
６０  ＥＭＧパネル
【図１】
2020140890.tif 000003
【図２】
2020140890.tif 000004
【図３】
2020140890.tif 000005
【図４】
2020140890.tif 000006
【図５】
2020140890.tif 000007
【図６】
2020140890.tif 000008
【図７】
2020140890.tif 000009
【図８】
2020140890.tif 000010
【図９】
2020140890.tif 000011